(57)【要約】【課題】光源ランプの輝度むらを抑制するとともに部品点数を削減することが可能な液晶表示パネルの照明装置を提供する。  【解決手段】拡散板１１と、光源ランプ１２と、光源ランプ１２からの光を拡散させるための凸状部１３ｄを内表面に有するリフレクタ１３とを備えた、液晶表示パネルの照明装置１において、光源ランプ１２からの光を反射および屈折可能な樹脂製の１枚の反射屈折板２０を新たに設け、新たに設けた反射屈折板２０は、コの字状の光源ランプ１２により囲まれた領域に対応する領域に設けられる平面部２１と、平面部２１の両端部に一体的に形成された曲面部２２とを含み、平面部２１および曲面部２２の拡散板１１と対向する側の表面には、複数のプリズム形状部２０ａが一体的に形成され、曲面部２２の光源ランプ１２と対向する側の表面には、光を拡散するための微小な凹凸部２２ａが一体的に形成されている。【選択図】図３
2005227662.tif 000002
【特許請求の範囲】
【請求項１】
液晶表示パネルの背面側に設けられた複数の光学シートと、前記複数の光学シートの背面側に設けられる拡散板と、前記拡散板の背面側に設けられるとともに、コの字状に形成された管状の光源ランプと、前記コの字状の光源ランプの背面側に配置され、前記コの字状の光源ランプからの光を拡散させるための複数の円弧状の凸状部を内表面に有する凹形状のリフレクタとを備え、前記凹形状のリフレクタは前記拡散板により密閉されている、液晶表示パネルの照明装置において、
前記複数の光学シートを除去するとともに、
前記凹形状のリフレクタの内表面と前記拡散板との間に、前記拡散板側から見て少なくとも前記コの字状の光源ランプにより囲まれた領域に対応する領域に配置されるとともに、前記光源ランプからの光を反射および屈折可能な樹脂製の１枚の反射屈折板を新たに設け、
前記新たに設けた反射屈折板は、
前記コの字状の光源ランプにより囲まれた領域に対応する領域に設けられる平面部と、
前記平面部の両端部に一体的に形成された前記光源ランプ側に傾斜する曲面部とを含み、
前記平面部および曲面部の前記拡散板と対向する側の表面には、複数のプリズム形状部が一体的に形成され、
前記曲面部の前記光源ランプと対向する側の表面には、光を拡散するための微小な凹凸部が一体的に形成されている、液晶表示パネルの照明装置。
【請求項２】
液晶表示パネルの背面側に設けられる拡散板と、
前記拡散板の背面側に設けられる光源ランプと、
前記光源ランプの背面側に配置され、前記光源ランプからの光を拡散させるための複数の凸状部を内表面に有するリフレクタと、
前記リフレクタと前記拡散板との間に配置され、前記拡散板と対向する側の表面にプリズム形状部が一体的に形成されるとともに、前記光源ランプの光の反射および屈折を行うための反射屈折板とを備える、液晶表示パネルの照明装置。
【請求項３】
前記反射屈折板は、前記拡散板側から見て前記光源ランプが配置される領域に対応する領域に配置されている、請求項２に記載の液晶表示パネルの照明装置。
【請求項４】
前記反射屈折板は、前記光源ランプと対向する側の表面の所定領域に設けられ、光を拡散するための光拡散形状部を有する、請求項２または３に記載の液晶表示パネルの照明装置。
【請求項５】
前記光拡散形状部は、微小な凹凸部および複数の印刷加工による凸部の少なくとも一方を含む、請求項４に記載の液晶表示パネルの照明装置。
【請求項６】
前記反射屈折板は、光が透過可能な樹脂材料により形成されている、請求項２〜５のいずれか１項に記載の液晶表示パネルの照明装置。
【発明の詳細な説明】
【技術分野】
【０００１】
本発明は、液晶表示パネルの照明装置に関し、特に、拡散板の背面側に設けられる光源ランプを備えた液晶表示パネルの照明装置に関する。
【背景技術】
【０００２】
従来、拡散板の背面側に設けられる光源ランプ（バックライト）を備えた液晶表示パネルの照明装置が知られている。この従来の液晶表示パネルの照明装置では、バックライト近傍の位置で拡散板に入射される光の輝度が大きくなる一方、バックライトから離れた位置で拡散板に入射される光の輝度が小さくなる。このため、拡散板に入射される光の輝度のバラツキを低減させる為には、バックライト近傍の輝度の大きい光を輝度の小さい周辺部へ分散させる必要がある。そこで、従来、光源ランプの光を拡散させることによって光の輝度のバラツキを低減させる為の構造を有する種々の液晶表示パネルの照明装置が開示されている（たとえば、特許文献１および特許文献２参照）。
【０００３】
上記特許文献１には、光源としての蛍光管と、蛍光管からの光を反射する反射板（リフレクタ）と、拡散板とを備えた液晶表示パネルの照明装置において、２つの第１および第２プリズム板を蛍光管と拡散板との間に設けた従来の第１の例による液晶表示パネルの照明装置が開示されている。この特許文献１に開示された構造では、第１および第２プリズム板の長手方向がそれぞれ蛍光管の長手方向と平行および直交するように配置することによって、第１および第２プリズム板と蛍光管とが対向する領域近傍の拡散板に入射される光の輝度を低下させ、バックライトの輝度分布を平均化させている。
【０００４】
また、上記特許文献２には、液晶表示パネルの背面に配置される光拡散板と、光拡散板の背面側に配置される蛍光管と、凸形状部と凹凸状の粗面とを有する凹状の反射板（リフレクタ）とを備えた従来の第２の例による液晶表示パネルの照明装置が開示されている。この特許文献２に開示された構造では、凸形状部は、凹状の反射板の底部のうち、蛍光管が延びる方向の軸線と反射板とが対向する位置を頂点とするように設けられている。また、反射板の凹凸状の粗面は、凹状の反射板の内表面に設けられている。これにより、凹状の反射板は、光照射の弱い照射面の周辺部に蛍光管からの光反射を集中させるとともに、蛍光管からの反射光の拡散を行う。
【０００５】
図１１は、従来の第３の例による液晶表示パネルの照明装置を備えた液晶表示装置を示した正面図である。図１２は、従来の第３の例による液晶表示パネルの照明装置を示した正面図である。図１３は、図１２に示した従来の第３の例による液晶表示パネルの照明装置の４００−４００線に沿った側断面図である。図１４は、図１３に示した従来の第３の例による液晶表示パネルの照明装置の分解図である。まず、図１１〜図１４を参照して、従来の第３の例による液晶表示パネルの照明装置１００の構造について説明する。
【０００６】
従来の第３の例による液晶表示パネルの照明装置１００は、図１１に示すように、液晶テレビジョンなどの液晶表示装置２００の液晶表示パネル２０１の背面内部に設置されている。この液晶表示パネルの照明装置１００は、液晶表示装置２００の液晶表示パネル２０１に背面側から光を照射することによって、明るく、かつ、鮮明な映像を表示するために設けられている。この液晶表示パネルの照明装置１００は、図１４に示すように、拡散板１０１と、コの字状に形成された管状の光源ランプ１０２と、リフレクタ１０３と、光学シート部材１０４とを備えている。拡散板１０１は、図１３および図１４に示すように、液晶表示パネル２０１の背面側に設けられている。この拡散板１０１は、光源ランプ１０２からの光を散乱・拡散させるための部材であり、液晶表示パネル２０１の面全体を均
一な明るさにするために設けられている。また、管状の光源ランプ１０２は、拡散板１０１の背面側に設けられている。この管状の光源ランプ１０２は、液晶表示パネル２０１の裏面から光を照射することにより、液晶表示パネル２０１に表示される映像を明るく、かつ、鮮明に映し出すために設けられている。
【０００７】
また、リフレクタ１０３は、図１３に示すように、管状の光源ランプ１０２の背面側に配置されている。このリフレクタ１０３は、管状の光源ランプ１０２の光を拡散板１０１側へ反射させるために設けられている。また、リフレクタ１０３は、側断面がＭ字形状に形成されている。また、リフレクタ１０３は、図１４に示すように、光源ランプ取付部１０３ａと、拡散板取付部１０３ｂと、液晶表示パネル取付部１０３ｃとを含んでいる。拡散板取付部１０３ｂは、拡散板１０１をリフレクタ１０３に取り付けるために設けられている。拡散板取付部１０３ｂに拡散板１０１を取り付けることによって、管状の光源ランプ１０２は、リフレクタ１０３の内面と、拡散板１０１との間に密閉される。また、液晶表示パネル取付部１０３ｃは、液晶表示パネル２０１をリフレクタ１０３に取り付けるために設けられている。
【０００８】
また、光学シート部材１０４は、液晶表示パネル２０１と拡散板１０１との間に挿入されている。この光学シート部材１０４は、液晶表示パネル２０１に照射する光の輝度を上昇させるとともに、光を散乱・拡散させて液晶表示パネル２０１の面全体を均一な明るさにするために設けられている。この光学シート部材１０４は、偏光反射シート１０４ａと、プリズムシート１０４ｂと、拡散シート１０４ｃとの３つの光学シートを含んでいる。
【特許文献１】特開平５−３３３３３３号公報
【特許文献２】実開平４−５３２７８号公報
【発明の開示】
【発明が解決しようとする課題】
【０００９】
図１２に示した従来の第３の例による液晶表示パネルの照明装置１００では、拡散板１０１と光源ランプ１０２との間には、光源ランプ１０２近傍の輝度の大きい光を輝度の小さい周辺部へ分散させるための部材が設けられていない。このため、図１５に示すように、拡散板１０１に入射される光は、図１５中の矢印Ｅの範囲で輝度むらが生じていた。この輝度むらは、拡散板１０１では十分に解消することが困難である。このため、従来では、輝度むらを低減するために、拡散板１０１に加えて、拡散板１０１と液晶表示パネル２０１との間に、偏光反射シート１０４ａと、プリズムシート１０４ｂと、拡散シート１０４ｃとの３つの光学シートからなる光学シート部材１０４を設けていた。そのため、従来の液晶表示パネルの照明装置１００では、部品点数が増加するという問題点があった。また、従来の液晶表示パネルの照明装置１００では、光学シート部材１０４による光の拡散効果が大きいため、光源ランプ１０２の長手方向に延びる２つの部分間の距離を大きくとると、光源ランプ１０２の長手方向に延びる２つの部分間に輝度の小さい領域ができるという不都合があった。そのため、画面サイズを大きくするに従って、必要輝度の確保および輝度むらを抑えるために多くの光源ランプ１０２を必要とするという問題点があった。
【００１０】
また、上記特許文献１に開示された構造では、拡散板と光源ランプとの間に第１プリズム板および第２プリズム板の２つのプリズム板を配置しているため、上記した従来の第３の例による液晶表示パネルの照明装置と同様、部品点数が増加するという問題点がある。
【００１１】
また、上記特許文献２に開示された構造では、蛍光管と拡散板との間に、蛍光管からの光を拡散させるための部材が設けられていないため、蛍光管近傍の輝度の大きい光が拡散板の光源ランプと対向する領域に入射されるという不都合がある。これにより、拡散板の光源ランプと対向する領域では、輝度が他の領域よりも大きくなるため、輝度むらを十分に低減するのは困難であるという問題点がある。
この発明は、上記のような課題を解決するためになされたものであり、光源ランプの輝度むらを抑制するとともに、部品点数を削減することが可能な液晶表示パネルの照明装置を提供することを目的とする。  
【課題を解決するための手段及び発明の効果】
【００１２】
上記目的を達成するために、この発明の第１の局面における液晶表示パネルの照明装置では、液晶表示パネルの背面側に設けられた複数の光学シートと、複数の光学シートの背面側に設けられる拡散板と、拡散板の背面側に設けられるとともに、コの字状に形成された管状の光源ランプと、コの字状の光源ランプの背面側に配置され、コの字状の光源ランプからの光を拡散させるための複数の円弧状の凸状部を内表面に有する凹形状のリフレクタとを備え、凹形状のリフレクタは拡散板により密閉されている、液晶表示パネルの照明装置において、複数の光学シートを除去するとともに、凹形状のリフレクタの内表面と拡散板との間に、拡散板側から見て少なくともコの字状の光源ランプにより囲まれた領域に対応する領域に配置されるとともに、光源ランプからの光を反射および屈折可能な樹脂製の１枚の反射屈折板を新たに設け、新たに設けた反射屈折板は、コの字状の光源ランプにより囲まれた領域に対応する領域に設けられる平面部と、平面部の両端部に一体的に形成された光源ランプ側に傾斜する曲面部とを含み、平面部および曲面部の拡散板と対向する側の表面には、複数のプリズム形状部が一体的に形成され、曲面部の光源ランプと対向する側の表面には、光を拡散するための微小な凹凸部が一体的に形成されている。
【００１３】
この発明の第１の局面における液晶表示パネルの照明装置では、上記のように、リフレクタの内面と拡散板との間に、管状の光源ランプの光の反射および屈折を行うための反射屈折板を設けることによって、反射屈折板に入射される管状の光源ランプの輝度の大きい光の屈折と反射を行うことができる。これにより、管状の光源ランプの輝度の大きい光が拡散板に直接入射されないようにすることができるとともに、光成分を輝度の小さい部分へ分散させることができるので、１つの反射屈折板を設けるだけで、拡散板の光出射面上の輝度むらを抑制することができる。これにより、輝度むらを軽減するためのプリズムシートなどの複数の光学シートを削減することができるので、部品点数を削減することができるとともに、組立工数を削減することができる。また、反射屈折板の拡散板と対向する側の表面に、複数のプリズム形状部を一体的に形成することによって、部品点数を増加させることなく、反射屈折板を透過して反射屈折板の拡散板と対向する側の表面から出射される光を拡散させることができる。これにより、部品点数を増加させることなく、拡散板の光出射面上の輝度むらをより抑制することができる。
【００１４】
また、第１の局面では、反射屈折板を、拡散板側から見てコの字状に形成された管状の光源ランプにより囲まれた領域に対応する領域に配置することによって、容易に、反射屈折板に入射される管状の光源ランプ近傍の輝度の大きい光の屈折と反射を行うことができる。また、反射屈折板の管状の光源ランプと対向する側の表面の所定領域に、光を拡散するための微小な凹凸部を一体的に形成することによって、部品点数を増加させることなく、管状の光源ランプから反射屈折板に入射された光を、微小な凹凸部により拡散させることができる。これにより、部品点数を増加させることなく、反射屈折板から管状の光源ランプの後方に位置するリフレクタ側に反射される光を拡散させることができるので、リフレクタから拡散板に入射される光を拡散させた状態で入射させることができる。その結果、部品点数を増加させることなく、拡散板の光出射面上の輝度むらをより抑制することができる。
【００１５】
また、第１の局面では、反射屈折板を光が透過可能な樹脂製にすることによって、複数の微小な凹凸部は、樹脂成形金型の表面へのエッチング加工やエンボス加工を行うことによって、反射屈折板を形成する際に、容易に一体的に形成することができる。また、反射屈折板を、光を透過可能な樹脂により形成することによって、反射屈折板に設けるプリズ
ム形状部も容易に一体的に形成することができる。
【００１６】
この発明の第２の局面における液晶表示パネルの照明装置は、液晶表示パネルの背面側に設けられる拡散板と、拡散板の背面側に設けられる光源ランプと、光源ランプの背面側に配置され、光源ランプからの光を拡散させるための複数の凸状部を内表面に有するリフレクタと、リフレクタと拡散板との間に配置され、拡散板と対向する側の表面にプリズム形状部が一体的に形成されるとともに、光源ランプの光の反射および屈折を行うための反射屈折板とを備える。
【００１７】
この発明の第２の局面における液晶表示パネルの照明装置では、上記のように、リフレクタの内面と拡散板との間に、光源ランプの光の反射および屈折を行うための反射屈折板を設けることによって、反射屈折板に入射される光源ランプの輝度の大きい光の屈折と反射を行うことができる。これにより、光源ランプの輝度の大きい光が拡散板に直接入射されないようにすることができるとともに、光成分を輝度の小さい部分へ分散させることができるので、１つの反射屈折板を設けるだけで、拡散板の光出射面上の輝度むらを抑制することができる。これにより、輝度むらを軽減するためのプリズムシートなどの複数の光学シートを削減することができるので、部品点数を削減することができるとともに、組立工数を削減することができる。また、反射屈折板の拡散板と対向する側の表面に、プリズム形状部を一体的に形成することによって、部品点数を増加させることなく、反射屈折板を透過して反射屈折板の拡散板と対向する側の表面から出射される光を拡散させることができる。これにより、部品点数を増加させることなく、拡散板の光出射面上の輝度むらをより抑制することができる。
【００１８】
上記第２の局面による液晶表示パネルの照明装置において、好ましくは、反射屈折板は、拡散板側から見て光源ランプが配置される領域に対応する領域に配置されている。このように構成すれば、容易に、反射屈折板に入射される光源ランプ近傍の輝度の大きい光の屈折と反射を行うことができる。
【００１９】
上記第２の局面による液晶表示パネルの照明装置において、好ましくは、反射屈折板は、光源ランプと対向する側の表面の所定領域に設けられ、光を拡散するための光拡散形状部を有する。このように構成すれば、光源ランプから反射屈折板に入射された光を、光拡散形状部により拡散させることができる。これにより、反射屈折板から光源ランプの後方に位置するリフレクタ側に反射される光を拡散させることができるので、リフレクタから拡散板に入射される光を拡散させた状態で入射させることができる。その結果、拡散板の光出射面上の輝度むらをより抑制することができる。
【００２０】
この場合、好ましくは、光拡散形状部は、複数の微小な凹凸部および複数の印刷加工による凸部の少なくとも一方を含む。このように構成すれば、容易に、反射屈折板から光源ランプの後方に位置するリフレクタ側に反射される光を拡散させることができる。
【００２１】
上記第２の局面による液晶表示パネルの照明装置において、好ましくは、反射屈折板は、光が透過可能な樹脂材料により形成されている。このように構成すれば、光拡散形状部は、樹脂成形金型の表面へのエッチング加工やエンボス加工を行うことによって、反射屈折板を形成する際に、容易に一体的に形成することができる。また、反射屈折板を、光を透過可能な樹脂により形成することによって、反射屈折板に設けるプリズム形状部も容易に一体的に形成することができる。
【発明を実施するための最良の形態】
【００２２】
以下、本発明の実施の形態を図面に基づいて説明する。
【００２３】
図１は、本発明の一実施形態による液晶表示パネルの照明装置を示した正面図である。図２は、図１に示した本発明の一実施形態による液晶表示パネルの照明装置の３００−３００線に沿った側断面図である。図３は、図２の分解図である。図４は、本発明の一実施形態によるリフレクタの凸状部の部分拡大斜視図である。図５〜図７は、本発明の一実施形態による液晶表示パネルの照明装置の反射屈折板の詳細を説明するための図である。まず、図１〜図７を参照して、本発明の一実施形態による液晶パネルの表示装置１の構造について説明する。
【００２４】
本発明の一実施形態における液晶表示パネルの照明装置１は、液晶テレビジョンなどの液晶表示装置の液晶表示パネル２０１（図１１参照）に液晶表示装置の内部側から光を照射することによって、明るく、かつ、鮮明な映像を表示するために設けられている。この液晶表示パネルの照明装置１は、図１〜図３に示すように、拡散板１１と、コの字状に形成された管状の光源ランプ１２と、リフレクタ１３と、光が透過可能な樹脂製の反射屈折板２０とを備えている。拡散板１２は、液晶表示パネル２０１の背面側に設けられている。この拡散板１１は、管状の光源ランプ１３からの光を散乱・拡散させる半透明な板状の部材であり、液晶表示パネル２０１の面全体を均一な明るさにするために設けられている。また、管状の光源ランプ１２は、拡散板１１の背面側に設けられている。この管状の光源ランプ１２は、蛍光管からなっている。また、管状の光源ランプ１２は、液晶表示パネル２０１の裏面から光を照射することにより、液晶表示パネル２０１に表示される映像を明るく、かつ、鮮明に映し出すために設けられている。また、リフレクタ１３は、図２に示すように、管状の光源ランプ１２の背面側に配置されている。このリフレクタ１３は、管状の光源ランプ１２の光を拡散板１１側へ反射させるために設けられている。また、リフレクタ１３は、側断面がＭ字形状に形成されている。また、リフレクタ１３は、図３に示すように、光源ランプ取付部１３ａと、拡散板取付部１３ｂと、液晶表示パネル取付部１３ｃと、凸状部１３ｄとを含んでいる。また、拡散板取付部１３ｂに拡散板１１を取り付けることによって、管状の光源ランプ１２は、リフレクタ１３の内面と、拡散板１１との間に密閉される。また、液晶表示パネル取付部１３ｃは、液晶表示パネル２０１をリフレクタ１３に取り付けるために設けられている。
【００２５】
ここで、本実施形態では、リフレクタ１３の凸状部１３ｄは、図１〜図４に示すように、リフレクタ１３の内表面の図１中の斜線部で示した領域（図２中の矢印Ｂで示した領域）に、複数設けられている。この凸状部１３ｄは、円弧状に突出するように形成されるとともに、図１（図４）中の矢印Ａ方向に延びている。この円弧状の凸状部１３ｄは、光源ランプ１２からリフレクタ１３の凸状部１３ｄが形成された領域に入射された光を反射および拡散させるために設けられている。また、反射屈折板２０は、図２に示すように、Ｍ字形状のリフレクタ１３の内面と拡散板１１との間に、拡散板１１側から見てコの字状に形成された管状の光源ランプ１２を覆うように配置されている。この反射屈折板２０は、管状の光源ランプ１２の光の反射および屈折を行うことにより、管状の光源ランプ１２の輝度の大きい光が拡散板１１に直接入射されないようにするとともに、光成分を輝度の小さい部分へ分散させるために設けられている。
【００２６】
また、反射屈折板２０は、図５に示すように、平面部２１（図５中の矢印Ｃで示した領域）と曲面部２２（図５中の矢印Ｄで示した領域）とを含んでいる。平面部２１は、拡散板１１に対して所定の間隔を隔てて平行に対向するように配置されている。また、曲面部２２は、平面部２１の両端部に一体的に形成されるとともに、光源ランプ１２側に傾斜するように形成されている。
【００２７】
また、反射屈折板２０の拡散板１１と対向する側の表面には、図５〜図７に示すように、複数のプリズム形状部２０ａが一体的に形成されている。このプリズム形状部２０ａは、反射屈折板２０を透過して反射屈折板２０の拡散板１１と対向する側の表面から出射さ
れる光を拡散させるために設けられている。このプリズム形状部２０ａは、拡散板１１と対向する側の表面の全面に形成されている。また、プリズム形状部２０ａの形状は、三角形状であり、約５μｍ〜５００μｍの高さと、約１１０度±６０度の範囲の先端角度を有する。また、反射屈折板２０の曲面部２２の管状の光源ランプ１２と対向する側の表面の所定領域には、シボ加工により形成された微小な凹凸部２２ａが設けられている。このシボ加工により形成された微小な凹凸部２２ａは、管状の光源ランプ１２から反射屈折板２０に入射された光を拡散させるために設けられている。
【００２８】
本実施形態における液晶表示パネルの照明装置１では、リフレクタ１３に凸状部１３ｄを設けるとともに、リフレクタ１３の内面と拡散板１１との間に反射屈折板２０を設けることにより、管状の光源ランプ１２から出射された光の経路は、図８に示すようになる。図８を参照して、本実施形態による液晶表示パネルの照明装置１では、図１５に示した従来の第３の例による液晶表示パネルの照明装置１００と比較して、図１５中の矢印Ｅの領域に生じていた輝度むらが解消されていることがわかる。
【００２９】
本実施形態では、上記のように、リフレクタ１３の内面と拡散板１１との間に、光源ランプ１２の光の反射および屈折を行うための反射屈折板２０を設けることによって、反射屈折板２０に入射される管状の光源ランプ１２の輝度の大きい光の屈折と反射を行うことができる。これにより、管状の光源ランプ１２の輝度の大きい光が拡散板１１に直接入射されないようにすることができるとともに、光成分を輝度の小さい部分へ分散させることができるので、１つの反射屈折板２０を設けるだけで、拡散板１１の光出射面上の輝度むらを抑制することができる。これにより、輝度むらを軽減するためのプリズムシートなどの複数の光学シートを削減することができるので、部品点数を削減することができるとともに、組立工数を削減することができる。
【００３０】
また、本実施形態では、反射屈折板２０を、拡散板１１側から見て管状の光源ランプ１２を覆うように配置することによって、容易に、反射屈折板２０に入射される管状の光源ランプ１２近傍の輝度の大きい光の屈折と反射を行うことができる。
【００３１】
また、本実施形態では、反射屈折板２０の拡散板１１と対向する側の表面に、複数のプリズム形状部２０ａを一体的に形成することによって、部品点数を増加させることなく、反射屈折板２０を透過して反射屈折板２０の拡散板１１と対向する側の表面から出射される光を拡散させることができる。これにより、部品点数を増加させることなく、拡散板１１の光出射面上の輝度むらをより抑制することができる。
【００３２】
また、本実施形態では、反射屈折板２０の管状の光源ランプ１２と対向する側の表面の所定領域に、光を拡散するための微小な凹凸部２２ａを一体的に形成することによって、部品点数を増加させることなく、管状の光源ランプ１２から反射屈折板２０に入射された光を、微小な凹凸部２２ａにより拡散させることができる。これにより、部品点数を増加させることなく、反射屈折板２０から管状の光源ランプ１２の後方に位置するリフレクタ１３側に反射される光を拡散させることができるので、リフレクタ１３から拡散板１１に入射される光を拡散させた状態で入射させることができる。その結果、部品点数を増加させることなく、拡散板１１の光出射面上の輝度むらをより抑制することができる。
【００３３】
また、本実施形態では、反射屈折板２０を光が透過可能な樹脂製にすることによって、複数の微小な凹凸部２２ａは、樹脂成形金型の表面へのシボ加工を行うことによって、反射屈折板２０を形成する際に、容易に一体的に形成することができる。また、反射屈折板２０を、光を透過可能な樹脂により形成することによって、反射屈折板２０に設けるプリズム形状部２０ａも容易に一体的に形成することができる。
【００３４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３５】
たとえば、上記実施形態では、反射屈折板２０の曲面部２２の光源ランプ１２と対向する側の表面のみに、シボ加工による微小な凹凸部２２ａを設けたが、本発明はこれに限らず、反射屈折板２０の光源ランプ１２と対向する側の表面の全面に微小な凹凸部を設けてもよい。また、微小な凹凸部を設けなくてもよい。
【００３６】
また、上記実施形態では、反射屈折板２０の微小な凹凸部２２ａを、シボ加工により反射屈折板２０と一体的に形成したが、本発明はこれに限らず、シボ加工に代えて、エンボス加工により微小な凹凸部を反射屈折板２０と一体的に形成してもよい。また、光拡散効果を有する光拡散形状であれば、微細な凹凸部以外であってもよい。たとえば、複数の所定形状のドット（凸部）を印刷加工により反射屈折板２０の表面に一体的に形成することにより光拡散効果を有する印刷ドットであってもよい。
【００３７】
また、上記実施形態では、反射屈折板２０を、平面部２１と曲面部２２とを有するように形成したが、本発明はこれに限らず、反射屈折板を他の形状に形成してもよい。たとえば、図９および図１０に示した形状の反射屈折板３０および反射屈折板４０であってもよい。
【００３８】
また、上記実施形態では、反射屈折板２０のプリズム形状部２０ａを、三角形状に形成したが、本発明はこれに限らず、プリズム形状部を、三角形の先端を丸形にした形状や、台形状に形成してもよい。
【図面の簡単な説明】
【００３９】
【図１】本発明の一実施形態による液晶表示パネルの照明装置を示した正面図である。
【図２】図１に示した本発明の一実施形態による液晶表示パネルの照明装置の３００−３００線に沿った側断面図である。
【図３】図２に示した本発明の一実施形態による液晶表示パネルの照明装置の分解図である。
【図４】本発明の一実施形態によるリフレクタの凸状部の部分拡大斜視図である。
【図５】本発明の一実施形態による液晶表示パネルの照明装置の反射屈折板を示した側面図である。
【図６】図５に示した本発明の一実施形態による反射屈折板のプリズム形状部を示した部分拡大図である。
【図７】図５に示した本発明の一実施形態による反射屈折板の微小凹凸部を示した部分拡大図である。
【図８】本発明の一実施形態による液晶表示パネルの照明装置の光源ランプから出射された光の経路を示した側断面図である。
【図９】本発明の一実施形態による液晶表示パネルの照明装置の反射屈折板の形状の他の例を示した側面図である。
【図１０】本発明の一実施形態による液晶表示パネルの照明装置の反射屈折板の形状のさらに他の例を示した側面図である。
【図１１】従来の一例による液晶表示パネルの照明装置を備えた液晶表示装置を示した正面図である。
【図１２】従来の一例による液晶表示パネルの照明装置を示した正面図である。
【図１３】図１２に示した従来の一例による液晶表示パネルの照明装置の４００−４００線に沿った側断面図である。
【図１４】図１３に示した従来の一例による液晶表示パネルの照明装置の分解図である。
【図１５】従来の一例による液晶表示パネルの照明装置の光源ランプから出射された光の経路を示した側断面図である。
【符号の説明】
【００４０】
１  液晶表示パネルの照明装置
１１  拡散板
１２  光源ランプ
１３  リフレクタ
１３ｄ  凸状部
２０  反射屈折板
２０ａ  プリズム形状部
２１  平面部
２２  曲面部
２２ａ  微小な凹凸部
３０  反射屈折板
４０  反射屈折板
【図１】
2005227662.tif 000003
【図２】
2005227662.tif 000004
【図３】
2005227662.tif 000005
【図４】
2005227662.tif 000006
【図５】
2005227662.tif 000007
【図６】
2005227662.tif 000008
【図７】
2005227662.tif 000009
【図８】
2005227662.tif 000010
【図９】
2005227662.tif 000011
【図１０】
2005227662.tif 000012
【図１１】
2005227662.tif 000013
【図１２】
2005227662.tif 000014
【図１３】
2005227662.tif 000015
【図１４】
2005227662.tif 000016
【図１５】
2005227662.tif 000017